(57)【要約】【課題】  設置強度を向上させるとともに見栄えを向上させることのできるフレーム型キッチンを提供する。【解決手段】  フレーム型キッチン１０は、壁面５に当接する位置で床面６から立ち上がる複数の壁面当接脚１１ａと、壁面５から離れた位置で床面６から立ち上がる非壁面当接脚１１ｂと、これらの脚１１ａ，１１ｂによって壁面５に沿う状態で支持されるキッチンカウンター１３とを有したフレーム型キッチン本体１を備えるとともに、前記各壁面当接脚１１ａの間で、壁面５と床面６のコーナー部に取り付けられるキッチン用幅木３を備える。【選択図】      図１
2007029366.tif 000002
【特許請求の範囲】
【請求項１】
壁面に当接する位置で床面から立ち上がる複数の壁面当接脚と、壁面から離れた位置で床面から立ち上がる非壁面当接脚と、これらの脚によって壁面に沿う状態で支持されるキッチンカウンターとを有したフレーム型キッチン本体を備えるとともに、前記各壁面当接脚の間で、壁面と床面のコーナー部に取り付けられるキッチン用幅木を備えることを特徴とするフレーム型キッチン。
【請求項２】
前記キッチン用幅木の高さ寸法は、壁面当接脚の幅寸法と略同一に設定されていることを特徴とする請求項１に記載のフレーム型キッチン。
【請求項３】
前記キッチン用幅木の長さ寸法は、前記各壁面当接脚の間の寸法と略同一に設定されていることを特徴とする請求項１または２に記載のフレーム型キッチン。
【請求項４】
前記壁面当接脚の下端部を囲繞する脚カバーをさらに備え、この脚カバーの外側面には、前記キッチン用幅木を壁面との間に保持する保持部が設けられており、
前記キッチン用幅木の長さ寸法は、隣り合う脚カバーの外側面同士の間の寸法と略同一に設定されていることを特徴とする請求項１または２に記載のフレーム型キッチン。
【発明の詳細な説明】
【技術分野】
【０００１】
本発明は、複数の脚でキッチンカウンターが支持されるフレーム型キッチンに関するものである。
【背景技術】
【０００２】
従来、図５に示すようなフレーム型キッチン１００が知られている（例えば、特許文献１参照）。このフレーム型キッチン１００では、シンク１４やコンロ１５が設けられた平面視で横長長方形状のキッチンカウンター１３が、複数の脚１１で支持されている。脚１１は、下端部に高さ調整のためのレベルアジャスター１２を有しており、レベルアジャスター１２が床面に固定されることにより、フレーム型キッチン１００が設置固定されるようになっている。
【０００３】
このようなフレーム型キッチン１００では、キッチンカウンター１３の下に空間が形成されているため、その空間に調理機器などを設置したり、あるいは脚１１の適所にレール部材などを取り付けて、前記空間に引出しを設置したりできるようになっている。
【特許文献１】特開２００４−２２３００６号公報
【発明の開示】
【発明が解決しようとする課題】
【０００４】
前記フレーム型キッチン１００においては、設置強度を向上させるために、図６に示すような壁面５にフレーム型キッチン１００を当接させたいという要望がある。しかしながら、壁面５と床面６のコーナー部には、フロア用幅木７が取り付けられており、フレーム型キッチン１０を壁面５に当接させようとしても、脚１１とフロア用幅木７が干渉してしまい、フレーム型キッチン１００を壁面に当接させることはできない。
【０００５】
そこで、フレーム型キッチン１００を設置する領域にはフロア用幅木７を取り付けないようにしてフレーム型キッチン１００を設置することも考えられるが、フレーム型キッチン１００ではキッチンカウンター１３の下方から脚１１がそのまま見えるため、そのようにするとフロア用幅木７の連続性が損なわれて見栄えが悪くなるという問題があった。
【０００６】
本発明は、このような事情に鑑み、設置強度を向上させるとともに見栄えを向上させることのできるフレーム型キッチンを提供することを目的とする。
【課題を解決するための手段】
【０００７】
前記課題を解決するために、本発明に係るフレーム型キッチンは、壁面に当接する位置で床面から立ち上がる複数の壁面当接脚と、壁面から離れた位置で床面から立ち上がる非壁面当接脚と、これらの脚によって壁面に沿う状態で支持されるキッチンカウンターとを有したフレーム型キッチン本体を備えるとともに、前記各壁面当接脚の間で、壁面と床面のコーナー部に取り付けられるキッチン用幅木を備えることを特徴とするものである。
【０００８】
見栄えを良好にするために、前記キッチン用幅木の高さ寸法は、壁面当接脚の幅寸法と略同一に設定されていることが好ましい。
【０００９】
設置強度をさらに向上させるために、前記キッチン用幅木の長さ寸法は、前記各壁面当接脚の間の寸法と略同一に設定されていることが好ましい。
【００１０】
キッチン用幅木と壁面当接脚との一体感が得られるようにするとともに、設置強度をさらに向上させるために、前記壁面当接脚の下端部を囲繞する脚カバーをさらに備え、この脚カバーの外側面には、前記キッチン用幅木を壁面との間に保持する保持部が設けられており、前記キッチン用幅木の長さ寸法は、隣り合う脚カバーの外側面同士の間の寸法と略同一に設定されていることが好ましい。
【発明の効果】
【００１１】
本発明によれば、壁面当接脚と壁面との当接によって、その当接方向でのフレーム型キッチン本体の揺れを防止することができ、フレーム型キッチン本体の設置強度を向上させることができる。しかも、各壁面当接脚の間には、壁面と床面のコーナー部にキッチン用幅木が取り付けられるから、壁面当接脚がキッチンカウンターの下方から見えたとしても、フレーム型キッチン本体を設置する領域の外側で壁面と床面のコーナー部に施工されるフロア用幅木とキッチン用幅木との連続性ができるので、見栄えが向上する。
【発明を実施するための最良の形態】
【００１２】
以下、本発明を実施するための最良の形態について、図面を参照しながら詳細に説明する。
【００１３】
図１に示すように、本発明の一実施形態に係るフレーム型キッチン１０は、壁面５の直角の入隅部分に設置されるフレーム型キッチン本体１と、脚カバー２と、キッチン用幅木３とを備えている。また、フレーム型キッチン本体１を設置する領域の外側では、壁面５と床面６のコーナー部にフロア用幅木７が施工されている。
【００１４】
前記フレーム型キッチン本体１は、壁面５に当接する位置で床面６から立ち上がる複数の壁面当接脚１１ａと、壁面５から離れた位置で床面６から立ち上がる複数の非壁面当接脚１１ｂと、これらの脚１１ａ，１１ｂによって壁面５に沿う状態で支持されるキッチンカウンター１３とを有している。
【００１５】
前記キッチンカウンター１３は、平面視で横長長方形状の形状をなしており、奥側の端面および左側の端面が壁面５に当接可能となっている。また、キッチンカウンター１３の右側位置にはシンク１４が設けられ、左側位置にはコンロ１５が設けられている。
【００１６】
前記壁面当接脚１１ａおよび非壁面当接脚１１ｂは、略正方形筒状の断面形状で鉛直方向に延在しており、下端部に高さ調整のためのレベルアジャスター１２を有している。
【００１７】
前記壁面当接脚１１ａは、キッチンカウンター１３の奥側の端部および左側の端部に沿って平面視で略Ｌ字状に並ぶ位置に配置されている。具体的には、壁面当接脚１１ａは、キッチンカウンター１３の左奥端部および右奥端部に対応する位置に２本、それらの間に２本、さらにキッチンカウンター１３の左手前端部に対応する位置に１本配置されている。そして、各壁面当接脚１１ａの壁面側の面は、キッチンカウンター１３の奥側の端面または左側の端面と略面一になっており、これにより各壁面当接脚１１ａは、図２に示すように、壁面５に隙間なく当接するようになっている。
【００１８】
前記非壁面当接脚１１ｂは、キッチンカウンター１３の手前側の端部に沿う位置であって、前記壁面当接脚１１ａのうちキッチンカウンター１３の左側端部に対応する位置に配置されたもの以外の壁面当接脚１１ａと奥行き方向で対応する位置に配置されている。
【００１９】
そして、フレーム型キッチン本体１は、前記脚１１ａ，１１ｂのレベルアジャスター１２が床面６に固定されることにより、設置固定されるようになっている。
【００２０】
なお、左右方向で並ぶ壁面当接脚１１ａの下部同士は、左右方向に延在する補強部材１７で相互に連結されており、奥行き方向で並ぶ壁面当接脚１１ａの下部同士は、奥行き方向に延在する補強部材１６で相互に連結されている。また、奥行き方向で並ぶ壁面当接脚１１ａと非壁面当接脚１１ｂの下部同士も、奥行き方向に延在する補強部材１６で相互に連結されている。
【００２１】
前記脚カバー２は、各壁面当接脚１１ａの下端部にネジ止めなどで取り付けられており、壁面当接脚１１ａの下端部を囲繞する形状を有している。具体的には、キッチンカウンター１３の左奥端部に対応する位置の壁面当接脚１１ａに取り付けられる脚カバー２は、平面視で略Ｌ字状の形状を有しており、その他の脚カバー２は、図３に示すように、平面視で略コ字状の形状を有している。また、脚カバー２の高さ寸法は、レベルアジャスター１２を十分に覆う程度に設定されている。
【００２２】
そして、脚カバー２の外側面には、前記キッチン用幅木３を壁面５との間に保持する保持部２１が設けられている。この保持部２１は、脚カバー２の下端部から略矩形の断面形状で鉛直方向に延在しており、その高さ寸法は後述するキッチン用幅木３の高さ寸法Ｗ２と略同一に設定されている。
【００２３】
前記キッチン用幅木３は、各壁面当接脚１１ａの間で、壁面５と床面６のコーナー部に取り付けられている。このキッチン用幅木３の長さ寸法は、図４に示すように、隣り合う脚カバー２の外側面同士の間の寸法Ｌと略同一に設定されており、キッチン用幅木３の高さ寸法Ｗ２は、壁面当接脚１１ａの幅寸法Ｗ１と略同一に設定されている。
【００２４】
このように構成されたフレーム型キッチン１０は、以下のようにして設置する。
【００２５】
まず、壁面５と床面６のコーナー部にフロア用幅木７を取り付ける前に、壁面当接脚１１ａが壁面５に当接するようにフレーム型キッチン本体１を床面６に載置し、レベルアジャスター１２を床面６に固定する。次いで、各壁面当接脚１１ａの下端部に脚カバー２を取り付け、その後に、脚カバー２の保持部２１と壁面５との間にキッチン用幅木３を上方から挿し込み、釘などで壁面５に固定する。最後に、最も外側に位置する壁面当接脚１１ａに至るまでの領域に、フロア用幅木７を取り付ける。
【００２６】
本実施形態のフレーム型キッチン１０では、壁面当接脚１１ａと壁面５とがフレーム型キッチン本体１の奥側および左側で当接しているので、その当接によって奥行き方向および左右方向でのフレーム型キッチン本体１の揺れを防止することができ、フレーム型キッチン本体１の設置強度を向上させることができる。しかも、各壁面当接脚１１ａの間には、壁面５と床面６のコーナー部にキッチン用幅木３が取り付けられているので、壁面当接脚１１ａがキッチンカウンター１３の下方から見えたとしても、フレーム型キッチン本体１を設置する領域の外側で壁面５と床面６のコーナー部に施工されるフロア用幅木７とキッチン用幅木３との連続性ができるので、見栄えが向上する。
【００２７】
また、キッチン用幅木３の高さ寸法Ｗ２を壁面当接脚１１ａの幅寸法Ｗ１と略同一に設定したから、キッチン用幅木の高さ寸法Ｗ２が壁面当接脚の幅寸法Ｗ１よりも太かったり細かったりした場合には違和感があるが、そのようなこともなく見栄えが良好になる。
【００２８】
さらに、各壁面当接脚１１ａの下端部に脚カバー２を取り付けたから、キッチン用幅木３と壁面当接脚１１ａとの一体感が得られるようになり、見栄えをより向上させることができる。また、脚カバー２には保持部２１が設けられているので、キッチン用幅木３は保持部２１と壁面５とで挟み込まれて保持されるため、キッチン用幅木３の取り付け強度を向上させることができる。加えて、キッチン用幅木３の長さ寸法を隣り合う脚カバー２の外側面同士の間の寸法Ｌと略同一に設定したから、隣り合う脚カバー２の間にキッチン用幅木３が隙間なく介在するようになり、壁面５に沿う方向、すなわち左右方向および奥行き方向でのフレーム型キッチン１０の剛性が高まり、さらに設置強度を向上させることができる。
【００２９】
なお、各脚１１ａ．１１ｂの本数は、前記実施形態で示した本数に限定されることなく適宜選定可能である。
【００３０】
また、壁面当接脚１１ａは、キッチンカウンター１３の奥側の端部に対応する位置にのみ配置されていてもよい。
【００３１】
さらに、前記実施形態では、壁面当接脚１１ａの下端部に脚カバー２を取り付けた形態を示したが、脚カバー２を省略することも可能である。この場合に、キッチン用幅木３の長さ寸法を各壁面当接脚１１ａの間の寸法と略同一に設定すれば、隣り合う壁面当接脚１１ａの間にキッチン用幅木３が隙間なく介在するようになるため、壁面５に沿う方向でのフレーム型キッチン１０の剛性の向上という前記実施形態と同様の効果を得ることができる。
【図面の簡単な説明】
【００３２】
【図１】本発明の一実施形態に係るフレーム型キッチンの斜視図である。
【図２】図１のＩＩ−ＩＩ線断面図である。
【図３】脚カバーの斜視図である。
【図４】フレーム型キッチンの要部を拡大した正面図である。
【図５】従来のフレーム型キッチンの斜視図である。
【図６】従来のフレーム型キッチンを壁面に当接させようとしたときの側面断面図である。
【符号の説明】
【００３３】
１    フレーム型キッチン本体
１１ａ  壁面当接脚
１１ｂ  非壁面当接脚
１２  レベルアジャスター
１３  キッチンカウンター
２    脚カバー
２１  保持部
３    キッチン用幅木
５    壁面
６    床面
７    フロア用幅木
１０  フレーム型キッチン
【図１】
2007029366.tif 000003
【図２】
2007029366.tif 000004
【図３】
2007029366.tif 000005
【図４】
2007029366.tif 000006
【図５】
2007029366.tif 000007
【図６】
2007029366.tif 000008